(57)【要約】      （修正有）【課題】効率的且つ小型にして、小規模水産物小売店、問屋、電器店、ス−パ−マ−ケット等の廃材発生現場での種廃材を減容再生し、採算良く再製品又は再再製品にリサイクルが出来る発泡スチロール廃材減容装置を提供する。【解決手段】主として原動機で適当に駆動され、発泡スチロ−ル廃材を強制的に移送するコンベヤ−と、此のコンベヤ−装置に従属して廃材を受け取り処理する粉砕ホィ−ルと、此に続いて設けられた二個の加熱式成形加圧ロ−ラとより成り、発泡スチロ−ル廃材の粉砕に際しては、粉砕ホィ−ルの粉砕円型刃を交互にずらして所定角度にジグザグ状に配列して廃材の分子構造を破壊する事なく切断粉砕し、斯くの如く粉砕された廃材を、その素材が変化しない程度の温度、即ち１００Ｃ以下で加熱し、加圧成形下に脱気減容し、再生する。【選択図】図１
0003106954.tif 000002
【実用新案登録請求の範囲】
【請求項１】
装置本体（１０）のシ−ト面（８）に間をおいて設置され、発泡スチロ−ル廃材（９）を強制的に移送出来る発泡スチロ−ル移送コンベヤ−（３）と、前記発泡スチロ−ル移送コンベア−（３）に従続して、駆動源により回転する回転軸（１２）に粉砕円型刃（１３）．．．が交互にずらして装着されている粉砕ホイ−ル（１１）と、前記粉砕ホイ−ル（１１）に次いで、凹凸円周面（２０）（２０’）が形成され互いに噛み合って駆動される成型加圧ロ−ラ−（１９）（１９’）とより成り、前記成型加圧ロ−ラ−（１９）（１９’）面上又は上方には、前記廃材の物性を変化させない所定温度で此を加熱する為のヒ−タ−（２１）（２１’）若しくは加温ブロワ−（Ｂ）を装着している事を特徴とする発泡スチロ−ル廃材減容装置。
【請求項２】
上記発泡スチロ−ル移送コンベヤ−（３）には、チェ−ン移送フック（４）．．．が等間隔で配列され、装置本体（１０）のシ−ト面（８）に投入される発泡スチロ−ル廃材（９）の上面を、密着させて強制移送させる様に構成した事を特徴とする請求項１記載の発泡スチロ−ル廃材減容装置。
【請求項３】
上記粉砕ホイ−ル（１１）の回転軸（１２）には、両側に傾斜面（１５）（１５’）を備えたハブ（１４）．．．．と、両端に傾斜面（１７）（１７’）を持つ中空軸（１６）．．．を備えた粉砕円型刃（１３）．．．とが、等間隔で装着されている事を特徴とする請求項１記載の発泡スチロ−ル廃材減容装置。
【請求項４】
上記粉砕ホイ−ル（１１）の粉砕円型刃は、上記回転軸（１２）に対し斜めの角度にジグザグ形状に配列されている事を特徴とする請求項１又は３記載の発泡スチロ−ル廃材減容装置。
【請求項５】
上記成型加圧ロ−ラ−（１９）（１９’）の凹凸円周面（２０）（２０’）の断面が、”コ”の字に形成されている事を特徴とする請求項１記載の発泡スチロ−ル廃材減容装置。
【請求項６】
上記ヒ−タ−（２１）（２１’）は、上記成型加圧ロ−ラ−（１９）（１９’）の表面を加熱する様に設置され、又上記ブロワ−（Ｂ）は、上記ホッパ−（１８）から落下する粉砕された発泡スチロ−ル廃材（９’）自体を加温する様に配置されている事を特徴とする請求項１記載の発泡スチロ−ル廃材減容装置。
【考案の詳細な説明】
【技術分野】
【０００１】        本考案は、板状、塊状、  若しくはボックス状等の発泡スチロ−ル廃材を効果的に粉砕、圧縮、減容化する事の出来る汎用小型装置に関する。
【背景技術】
【０００２】        従来、包装並びに包装緩衝用の発泡スチロ−ルは、優れた保温性並びに緩衝性から、その廃材の環境汚染性を問題視されながらも、未だに水産物容器、種々なるトレ−、物品梱包用緩衝材等に大量に使用されており、その後処理は大きな社会問題を提起し続けている。
例えば、発泡スチロ−ルの物理的、化学的特性からして、埋立処分に付しても全く風化も腐敗も行わないので、その処理現場は直ぐ満杯となって限界が生じ、焼却処分を行えば、大気汚染、地球温暖化（京都議定書違反）の問題が生じ、その素材のリサイクルを行わんとしても、高温溶解法等では悪臭を放つと同時に材質が変化して、再生された製品例えばハンガ−、おもちゃ、プランタ−等は、本来の素材特性が活かせず、其等の再再生は不可能である。
更に又、此等の方法に依る再生化は、廃材の輸送、分別、洗浄等の費用を勘案すると、バ−ジンマテリアルを使用する場合よりも、コスト高となり、製品生産上採算の合わない問題が生じて来る。
従って、発泡スチロ−ル廃材の採算性ある完全なリサイクル法に於ては、
（１）：かさ高な廃材の輸送費を下げる為の減溶。
（２）：減容された発泡スチロ−ル廃材を良質な元のペレット原料えの再生。
（３）：その原料を使っての製品リサイクル技術の確立。
が、欠く事の出来ない条件と成っている。【０００３】        従来、此の様な発泡スチロ−ル廃材の完全な再生法の必須不可欠な条件の内、その減溶並びに良質ペレット原料再生法又は再生装置は、以下の諸文献に開示されている。
【特許文献１】              特開２００２−４５７２３
【特許文献２】              特開２００１−９６５３２
【特許文献３】              特開平１１−１７９７２７
【特許文献４】              特開平１１−６０７９８
【０００４】        斯の如き先行特許の内、
【特許文献１】には、発泡スチロ−ル廃材を、回転刃、枌砕刃及び固定刃で装置内に引き込み且つ粉砕する単なる物理的破砕減容装置が開示されており、
【特許文献２及び３】
には、夫々所定温度で所定溶剤に発泡スチロ−ルを溶解し、圧搾した後脱泡収縮させるか、此の溶融流動化した発泡スチロ−ルを、溶媒中から回収して固化させるかする技術が開示されている。
一方、【特許文献４】には、粉砕された発泡スチロ−ルを、加熱器が付設され且つ直径が異なるスクリュ−を同軸上に直列に連結したスクリュ−押し出し装置内に仕込み、外気を遮断しながら溶融し、此の溶融物をペレット状に水中に押し出してリサイクル素材を形成する装置が開示されている。
【考案の開示】
【考案が解決しようとする課題】
【０００５】      然しながら、
【特許文献１】の技術は、例えば水産物容器、電気製品緩衝材等の発泡スチロ−ル塊（Ｆ）を、破砕装置（１）内で無秩序に回転刃（１２）、粉砕刃（１３）及び固定刃（１５）で粉砕するので、発泡スチロ−ルの分子構造を破壊し、例え減容目的を達成したとしても、再生素材の材質の劣化を招くと同時に、処理材料がかさ高の為に装置自体が大型化を免れない欠点がある。
【０００６】      又、
【特許文献２及び３】
の技術は、所定温度の溶剤に発泡スチロ−ルを溶解し且つ圧搾して脱泡減容するか、或は溶媒中に減容溶解した発泡スチロ−ルを液状溶媒から回収し、固化する装置であるから、高温溶解（１００°Ｃ以上）の場合には、発泡スチロ−ル素材に変化が起こり、完全な再生を妨げると同時に、素材の溶解時に悪臭を放ち、溶媒より分離回収された素材自体が、容易に固化しない難点がある。
【０００７】        最後に、
【特許文献４】の手段は、粉砕された発泡スチロ−ルを、スクリュ−直径の異なる一連の同軸押し出し装置上に付設した加熱器で高温加熱溶融し、此の溶融物を押し出して水中に固化し、ペレット状に切断する装置であるから、加熱溶融時に材質の変化が考えられ、完全な素材再生が妨げられる欠点がある一方、上記の溶媒使用の減容装置と同様に比較的大型と成らざるを得ず、廃材発生現場即ち小売り水産物店、電器店等に使用出来る汎用装置としては不適当である。
本考案は、此の様な従来型装置の欠点を解決する事を課題とする。
【課題を解決する為の手段】
【０００８】      従って斯の如き課題を解決する為に、本考案の発泡スチロ−ル粉砕、圧縮、減容装置（以下減容装置と記載する）は、  処理されるべき発泡スチロ−ル廃材を装置本体内で破砕する粉砕ホィ−ルと、此に発泡スチロ−ル廃材を誘導する樋状のシ−トと、此のシ−トの上方でこれと平行して起動され、前記廃材を強制的に前記粉砕ホィ−ルに移送するコンベヤ−と、前記粉砕ホィ−ルで粉砕された発泡スチロ−ル廃材を加熱融合させて減容する一対の凹凸面を持つ成型ロ−ラ−とより構成され、前記枌砕ホィ−ルの円型刃は、その中心軸が粉砕ホィ−ル回転軸のに対してジグザグの形で斜めに設置され、前記回転軸が回転すると此等の刃は、放物線状に回転して進入する発泡スチロ−ル廃材を斜めに無理なく切断し、その後の低温融合でかさ高の容量を減容する如く構成した事を特徴としている。
【考案の効果】
【０００９】      斯くて本考案の減容装置に於ては、投入される発泡スチロ−ル廃材が、前記コンベヤ上の移動ラックに挟まれて、確実に樋状のシ−ト上を前記粉砕ホィ−ルに向かって強制的にしかも静かに移動され、此の移動方向に対し直交して設けられた前記粉砕ホィ−ルの回転軸に向かい、夫々の発泡スチロ−ル廃材粉砕刃を、交互にずらしてジグザグ状に装着し、処理されるべき発泡スチロ−ル廃材を斜め方向から無理なく徐々に細かく砕断して、その分子構造を物理的に破壊せず、それと同時に裁断された此の廃材を、前記成型ロ−ラ−の凹凸面上に比較的低温の加熱装置を取り付けるか又は熱風により、低温即ち１００℃以下に加熱し、その物質特性を熱的に変化さす事なく減容させ、最終的にパレット状に裁断し、発泡スチロ−ル本来の特性を失う事なく再生させる。
従って、此の種素材のリサイクル製品の原価を決定的に左右する再生素材の保管、輸送費は激減され、バ−ジンマテリアル使用費用よりも安価に生産される事が出来、更に素材本来の物性も消失していないので、その製品は再再生し得る利益も付帯している。
【００１０】        更に又本考案の減容装置は、比較的構造が簡単であるから軽量小型化され、廃材溶解法等を採用していないので、悪臭を放出せず、装置の運転音も低く、市街地の此の種廃材処理施設を持たない水産物店、電器店、小型ス−パ−マ−ケット又は問屋等の適当場所に支障なく設備する事が出来、現場での廃材の減容処理後、再生工場に出荷出来るので、保管、輸送費を大幅に減少する事が可能である。
【考案を実施する為の最良の形態】
【００１１】      斯の如き本考案の発泡スチロ−ル廃材減容装置の最良の実施形態は、大型処理設備を持たない廃材発生現場例えば市街地所在の水産物小売店、電器店、小型ス−パ−、問屋等の所望場所に、その環境を破壊する事なく設置する事が出来ると供に、減容されるべき廃材本来の物理特性及び化学特性を損なう事なく、破砕し且つ加熱減容し得る如く構成した事を特徴としたものであるから、先ず第一に市街地で排出される此の種廃材を現場で処理して、その保管費と処理場までの輸送費とを激減させ、その結果、廃材による製品コストをバ−ジンマテリアルに依るそれよりも安価に生産出来ると同時に、素材の再生、製品の再再生も可能となるので、限り有る化石資源を有効に利用出来ると供に、市街地の環境破壊並びに埋立地減少の防止にも役立てる事が可能となる。
以下に図面を参照して本考案の好個の実施例を説明する・
【実施例１】
【００１２】      図１に示す如く本考案は、装置本体（１０）内に発泡スチロ−ル廃材（以下廃材と記載する）を強制的に移送させる発泡スチロ−ル移送コンベヤ−（３）と、前記廃材を粉砕する粉砕ホィ−ル（１１）と、粉砕された廃材（９）を加圧成型する成型加圧ロ−ラ−（１９）（１９’）とで構成されている。【００１３】      上記移送コンベヤ−（３）は、図１に示す如く、モ−タ−（１）と減速機（２）に依り、駆動ホイ−ル（５）及び従動ホイ−ル（６）を介して無限駆動チェ−ン（７）を駆動する如く構成され、此のチェ−ン（７）上には移動フック（４）（４）．．．が等間隔で固定されている。
又、此の廃材移送コンベヤ−（３）は、装置本体（１０）内で一定の角度の基に設置されたシ−ト面（８）と並設されており、此等間に投入される廃材を強制的に移送する様に設置されている。【００１４】      上記した投入口を経て装置本体（１０）のシ−ト面（８）上に投入された廃材（９）は、その下面がシ−ト面（８）に接着し、その上面は移送コンベヤ−（３）の移動フック（４）に刺着され、一定の速度で駆動する廃材移送コンベヤ−（３）に依って、シ−ト面（８）上を強制的に移送される。【００１５】      斯の如き廃材移送コンベヤ−（３）の移送フック（４）は、前記チェ−ン（７）に溶接又は締結手段に依り固定され、図で示す如く、”Ｌ”字状に固定しても又は他の適当な形状に固定しても、要は前記廃材（９）をチェ−ン（７）上に密着させ移動させ得る様な部片で有れば差し支えないものである。
斯の如くして、移送コンベヤ−（３）により、移送された廃材（９）は、粉砕ホイ−ル（１１）に投入され、適当なサイズに粉砕される。【００１６】      此の粉砕ホイ−ル（１１）には、図２に示す如く、駆動源（図示せず）に依り適宜回転される回転軸（１２）に、粉砕円型刃（１３）（１３）．．．が交互にずれた形で装着されている。
又、此の粉砕ホイ−ル（１１）の回転軸（１２）には、両側に傾斜面（１５）（１５）を持つハブ（１４）．．．と、又両側に傾斜面（１７）（１７）を持つ中空軸（１５）．．．を備えた粉砕円型刃（１３）．．．．が等間隔に装着されている。【００１７】        此の粉砕ホイ−ル（１１）の粉砕円型刃（１３）．．．は、上記回転軸（１２）に対して傾斜した角度でジグザグの配列に装着され、粉砕円型刃（１３）．．．が廃材（９）を斜め方向から切断し、この面上に無理な切断力を与えることなく、細かく粉砕して短時間で再加工処理され得る寸法に迄処理される様に構成されている。【００１８】        又、上記粉砕ホイ−ル（１１）は、制御部（図示せず）に依り、廃材（９）の材質及び厚さ等に合わせて回転速度を制御する事が出来ると供に、粉砕時間もその粉砕状態に合わせて設定され、更に此の粉砕される廃材も所定時間内に次工程の成型加圧ロ−ラ−（１９）（１９’）間に投入され得る様に設計されている。【００１９】        又、前記粉砕ホイ−ル（１１）が装着されたホッパ−（１８）の下部に、遮蔽板（図示せず）等を装着し、予め定められた時間後この遮蔽板が開いて、粉砕ホイ−ルから送られて来た廃材（９）が定期的に前記成型加圧ロ−ラ−（１９）（１９’）間に投入される様に構成する事も可能である。【００２０】        更に、上記した様に、此の粉砕ホイ−ル（１１）の次の工程には、凹凸円周面（２０）（２０’）を備えた円筒状成型加圧ロ−ラ−（１９）（１９’）が互いに対向して設置され、相互に噛み合って駆動する様に構成され、それと同時に此の凹凸円周面（２０）（２０’）は又、断面が”コ”の字状に形成され、その中部には夫々一個のヒ−タ−（２１）（２１’）が装着されて、前記成型加圧ロ−ラ−（１９）（１９’）の表面温度が、最大１００Ｃと成る様に構成されている。【００２１】        その為、此の成型加圧ロ−ラ−（１９）（１９’）は、熱伝導性の優れた耐久性の良い材料で形成されるのが好ましく、前記ヒ−タ−（２１）（２１’）の熱が伝導された後には、粉砕廃材（９’）が、その物性を維持したままで成型され得る様に、その温度制御を行い得る様に構成されるのが好ましい。
更に又、前記成型加圧ロ−ラ−の凹凸円周面（２０）（２０’）は、破砕廃材（９’）を比較的高温例えば最大１００°Ｃの温度で加圧処理せねばならないので、この温度で一定の強度を維持し得る材質を選定する事も必要である。【００２２】        他方、前記ヒ−タ−（２１）（２１’）は、図示はされていないが、適当な連結手段で成型加圧ロ−ラ−（１９）（１９’）の  固定軸（２４）（２４’）上に固定されるのが好ましく、此等から発生する熱は、前記凹凸円周面（２０）（２０’）上に誘導落下される廃材（９’）を、その素材特性を失う事なく効率よく減容再生し得る様な温度、即ち１００°Ｃ以下の所定温度に維持される様に、前記成型加圧ロ−ラ−の凹凸円周面上に誘導され且つ適宜その内部に放散される得る様に配慮されるのが好ましい。【００２３】        更に図５及び図６には、略一対と見做し得る２個の上記成型加圧ロ−ラ−（１９）（１９’）の回転伝達機構が示されている。
此の機構に於て、図示はされていないが、適当な駆動源により駆動ギヤ−又は縦動ギヤ−（２２）（２２’）に伝達される動力は、固定軸（２０）（２０’）上に装着されたベヤリング軸（２３）（２３’）を介して成型加圧ロ−ラ−（１９）（１９’）に伝えられ、此等両者を矢印（ｆ）（ｆ’）方向に回転させる。【００２４】        此の様に相互に噛み合う方向に回転する成型加圧ロ−ラ−（１９）（１９’）上には、図１に示す様に粉砕廃材（９’）が粉砕ホイ−ルホッパ−（１８）から供給され、ヒ−タ−（２１）（２１’）で予め所定温度（最高１００°Ｃ）に加熱された凹凸円周面（２０）（２０’）上に送られて、その物性が変化しない温度で加熱された後加圧され、発泡スチロ−ル廃材中の空気その他を脱気して減容し、再生発泡スチロ−ル（９’’）として貯蔵し、所望の製品にリサイクルする為に再生工場に移送される。【００２５】        又、上記成型加圧ロ−ラ−（１９（１９’）えの動力伝達方式は、固定軸（２４）（２４’）にベヤリング軸（２３）（２３’）を装着し、駆動ギヤ−（２２）（２２’）を介して行う間接駆動方式を示しているが、これは最も多用される方式を示したに過ぎず、上記駆動源に減速機具等を連結して、直接成型加圧ロ−ラ−（１９）（１９’）に伝達する方式を採用しても何ら差し支えないものである。
【実施例２】
【００２６】        上記実施例１の発泡スチロ−ル廃材減容装置に於て、その成型加圧ロ−ラ−（１９）（１９’）は、前記破砕ホイ−ル（１１）に依って裁断され、ホッパ−（１８）の下部から落下して来る粉砕廃材（９’）を、その面上で受け止めて、ヒ−タ−（２１）（２１’）で１００Ｃ以下に暖められた円周面で加温し、夫々のロ−ラ−間で加圧圧縮して減容さす様に作用しているが、その素材は熱伝導性良くしかも耐久性あるものを使用せねばならないので、構造的にも複雑になり、必然的にコスト高となる欠点がある。【００２７】        そこで本態様に於ては、図１に示す如く、前記ホッパ−（１８）と成型加圧ロ−ラ−（１９）（１９’）間に加熱ブロア−（Ｂ）を設置して、ホッパ−（１８）から落下する粉砕廃材（９’）を、此の空間内若しくは前記成型加圧ロ−ラ−（１９）（１９’）面上で加温して軟化させ、此の軟化した廃材を適当に圧搾して減容し、発泡スチロ−ル粉砕廃材（９’’）として再生する事も出来る。
此の方法及び装置に依れば、粉砕発泡スチロ−ル廃材を、直接適当な温度に暖め軟化させてから圧搾するので、ロ−ラ−面上に接着せず、使用するロ−ラ−も普通のものを使用し得るので、素材の熱伝導性、耐久性等を考慮せねばならない上記ヒ−タ−付き装置より経済的に有利と考えられる。
【産業上の利用可能性】
【００２８】        斯の如く、本考案の発泡スチロ−ル廃材減容装置は、小型であると同時に発泡スチロ−ル廃材溶解法を採用しない方式であるから、悪臭も騒音も発生せず、市街地の比較的小企業の廃材発生現場例えば小規模水産物小売店或は市場、電気製品小売店又は問屋、ス−パ−マ−ケット等の所望場所に据え付ける事が可能となり、廃材発生現場の保管費、処理工場又は設備までの輸送費が著しく節約されて安価にリサイクルする事が可能となり、それに加えて再生素材の物性にも何ら変化をもたらさないので、製品の再再生も可能となり、此の種産業界に多大の利益を与える装置と推測される。【００２９】        更に又、発生現場から処理現場までの輸送費と狭い発生現場での保管費の高さから、一種のごみとして焼却又は埋立処理に付されていた大部分の発泡スチロ−ル廃材が、減容再生されてリサイクされるので、環境汚染並びに埋立地消失の問題も解決されるので、此等両者の面からしても、その利用度は計り知れないと確信される。
【図面の簡単な説明】
【００３０】
【図１】  本考案の発泡スチロ−ル廃材減容装置の機能を示す説明図である。
【図２】  本考案の発泡スチロ−ル廃材減容装置の主要部分を示す斜視図である。
【図３】  本考案の発泡スチロ−ル廃材粉砕ホイ−ルの分離斜視図である。
【図４】  図３の粉砕ホイ−ルの正面図である。
【図５】  本考案の発泡スチロ−ル廃材粉砕物成型加圧ロ−ラ−の正面図である。
【図６】  図５の成型加圧ロ−ラ−の斜視図である。
【符号の説明】
１      モ−タ−
２      減速機
３      移送コンベヤ−
４      移動フック
５      駆動ホイ−ル
６      従動ホイ−ル
７      無限駆動チェ−ン
８      シ−ト面
９      発泡スチロ−ル廃材
９’    粉砕廃材
９’’  減容再生発泡スチロ−ル
１０    装置本体
１１    粉砕ホイ−ル
１２    回転軸
１３    粉砕円型刃
１８    ホッパ−
１９    成型加圧ロ−ラ−
１９’  成型加圧ロ−ラ−
【図１】
0003106954.tif 000003
【図２】
0003106954.tif 000004
【図３】
0003106954.tif 000005
【図４】
0003106954.tif 000006
【図５】
0003106954.tif 000007
【図６】
0003106954.tif 000008